(57)【要約】取り付け中に一部が破断する形式の締結具を取り付ける締結具取り付け工具。この工具は、工具の作動中に締結具の破断部分を回収する回収手段（２１）を備えており、この回収手段は工具に着脱式に連結可能である。工具は、回収手段（２１）を工具から外れないように保持する保持手段（２８）を有し、この保持手段は、空気圧で作動して保持状態になる。工具は、回収手段（２１）が取り付けられている時に開放状態に保持される弾性付勢式シャッタ手段（３８）を有することができる。
2004520173.tif 000002
【特許請求の範囲】
【請求項１】
取り付け中に一部が破断する形式の締結具を取り付ける締結具取り付け工具であって、作動中に締結具の破断部分を回収する回収手段を備えており、該回収手段は該締結具取り付け工具に着脱式に連結可能であり、
前記回収手段を該締結具取り付け工具から外れないように保持する保持手段を有し、該保持手段は、空気圧で作動して保持状態になる締結具取り付け工具。
【請求項２】
前記保持手段は、作動空気圧によって保持状態に押し付けられる少なくとも１つの軟質弾性部材を有する請求項１に記載の工具。
【請求項３】
前記または各軟質弾性部材は円周に沿って延在している請求項１または２に記載の工具。
【請求項４】
前記弾性部材の少なくとも１つは、その保持機能を摩擦によって与える請求項３に記載の工具。
【請求項５】
少なくとも１つの部材はＯリングシールである請求項４に記載の工具。
【請求項６】
前記弾性部材の１つは、移動止めとして作用することによってその保持機能を与える請求項３に記載の工具。
【請求項７】
前記部材はリップシールである請求項６に記載の工具。
【請求項８】
２つの軟質弾性部材が設けられ、これらの間に作動空気圧を加える請求項２〜７のいずれか一項に記載の工具。
【請求項９】
前記回収手段の初期変位を補助する手段であって、軟質部材の一方がその保持状態を失うと共に空気圧を逃がし、それによって他方の軟質部材がその保持状態を失うようにする、補助する手段を備えている請求項８に記載の工具。
【請求項１０】
初期変位を補助する前記手段はカム構造を有する請求項９に記載の工具。
【請求項１１】
前記工具に対する前記回収手段の回転は、前記カム構造を作動させて、前記回収手段を前述のように変位させる請求項１０に記載の工具。
【請求項１２】
取り付け中に一部が破断する形式の締結具を取り付ける締結具取り付け工具であって、
作動中に締結具の破断部分を回収する回収手段を備えており、該回収手段は着脱式に該締結具取り付け工具に連結されており、
また、弾性付勢式シャッタ手段を備えており、
該シャッタ手段は、
前記回収手段が該締結具取り付け工具に取り付けられている時、前記弾性付勢手段に抗して開放状態に保持されて、締結具の破断部分が該締結具取り付け工具から前記回収手段に入ることができるようにし、
また、前記回収手段が該締結具取り付け工具から切り離されている時、前記弾性付勢手段の作用によって閉じて、該締結具取り付け工具からの締結具の破断部分の放出を防止することができ、
前記回収手段を該締結具取り付け工具に連結した時、前記シャッタが空気圧の作用で開放状態に保持され、前記回収手段の切り離しによって空気圧が除去されて、前記シャッタが前記弾性付勢手段の作用で閉じるようにした締結具取り付け工具。
【請求項１３】
前記空気圧の除去は、通気によって行われる請求項１２に記載の工具。
【請求項１４】
同じ空気圧を利用して、前記保持手段を保持状態に押し付けると共に、前記シャッタ手段を開放状態に保持するようにした請求項１および１２の両方に記載の工具。
【請求項１５】
ほぼ添付図面に示され、それらを参照しながら説明されている締結具取り付け工具。
【発明の詳細な説明】
【技術分野】
【０００１】
本発明は、締結具の破断部分、すなわち、各締結具の、取り付け処理中に破断された部分を回収する回収手段を備えた締結具取り付け工具に関する。
【背景技術】
【０００２】
そのような締結具取り付け工具は、長年にわたって周知である。そのような工具の典型例が、本出願人の先の明細書第ＷＯ９６／３８２４５号に記載されており、そのような工具の構造、作用および実用的要求事項に関するさらなる情報については、それを参照されたい。
【０００３】
そのような一実用的要求事項は、工具の作動中に回収手段を工具に固定して、（回収部分を空にするために）工具から容易に取り外すことができ、その後（連続作動できるようにするために）不当に遅れることなく工具に再固定できることである。
【０００４】
別の実用的要求事項は、回収手段を工具から取り外している間、（安全上の理由から）締結具の破断部分が工具から放出されないようにすることである。
【発明の開示】
【発明が解決しようとする課題】
【０００５】
本発明は、上記要求事項の各々を満たす工具の提供を目的としている。
【課題を解決するための手段】
【０００６】
本発明は、態様の１つでは、添付の特許請求の範囲の第１項に記載された締結具取り付け工具を提供することである。
【０００７】
本発明は、別の態様では、添付の特許請求の範囲の第１２項に記載された締結具取り付け工具を提供することである。
【０００８】
本発明のさらなる好適な特徴が、添付の特許請求の範囲のその他の項で定義されている。
【０００９】
ここで、添付図面を参照しながら、一例として本発明の具体的な実施形態を記載する。
【発明を実施するための最良の形態】
【００１０】
手持ち式ブラインドリベット取り付け工具は、第ＷＯ９６／３８３４５号に記載されているものとほぼ同一であり、その工具の構造および作用の説明についてはそれを参照されたい。本工具は、ホース１１で圧縮空気を供給される空気圧／油圧増圧器を備えている。外部トリガ１２を押した時、増圧器が作動して、ヘッドピストンを内孔１３（図２Ａおよび図３Ａ）に沿って駆動することによって、ジョーアセンブリが、工具のノーズチップ１５に挿入されているブラインドリベット１４のピンテールを把持して引っ張る。ブラインドリベットの本体が変形して、最終的にリベットのピンが破断して、ジョーが破断ピンテールと共に後退する。ジョーがピンテールを解放すると、このピンテールは、内孔１３の中心に沿って延在するチューブ１６に沿って後方へ放出される。チューブ１６は、内孔１３の後端部に固定されたコネクタブロック１８を貫通している内孔４３に通じている。
【００１１】
トリガ１２の解放時にヘッドピストンおよびジョーを前方へ戻すために、加圧空気が常時、ピストンの背後で内孔１９に沿って内孔１３に供給されている。この空気圧の供給は、後述するように、他の目的にも利用される。
【００１２】
破断したピンテールを回収する手段が、ボトル２１として知られるものによって与えられている。これは、ほぼ円筒形であるが、わずかに先細になった外表面２２を有する。ボトルの後端部に通気穴２３が設けられている。ボトルの表面の内部の大部分がわずかに先細になっているが、前部分２４は円筒形である。これは、コネクタブロック１８の円筒形外表面２５とはめ合わされ、表面２４および２５間に狭い環状ギャップ２６が存在する（図２Ａ、図５Ａおよび図５Ｂ）。
【００１３】
コネクタブロック１８は、２つの軟質弾性シール部材２７および２８を担持している。前側のもの２７はＯリングシールであり、後側のもの２８はリップシールである。両シールは、コネクタブロック１８の表面２５から上方へ十分に突出して（図３Ａを参照）、ボトルが図２Ａに示された連結位置または固定位置にあって、ボトル２１の前端部２４がコネクタブロック１８に被さる完全な前方位置にある時、（詳細に後述するように）両シールがボトルの内表面と接触する。供給内孔１９からの加圧空気が、内孔１３の後部分、コネクタブロック１８の前方の環状ギャップ２９、半径方向内孔３１および消音室３２によって環状ギャップ２６に供給される。室３２は、シール２７および２８間に位置して、空気圧を両シールに加える。この空気圧によって、両シールがわずかに変形し、その結果として半径方向に拡張して、シールとボトル２１との間の摩擦接触を高めることができる。これによって、ボトルをコネクタブロックから取り外すために必要な力が相当に増大し、したがって、ボトルを工具に効果的に固定することができる。
【００１４】
前シール２７はＯリングシールである（すなわち、円形断面を有する）が、後シール２８はリップシールであり、その作用が、図５Ａおよび図５Ｂに拡大断面図で示されている。これらの図面に示されているように、ボトル内部の円形部分２４の後端部が、その後のわずかに先細になった部分により急傾斜の先細部分３３でつながっており、ボトルが（図２Ａに示すように）固定状態にある時、リップシール２８がその部分３３に係合することができる。この係合状態が、図５Ａに示されており、リップシールは、環状ギャップ２６内の空気圧によって半径方向に拡張している。これによって、ボトルおよびコネクタブロック間に弾性的な移動止め係合が効果的に得られる。
【００１５】
ボトルおよびコネクタブロック間のこの強化摩擦係合を解除するには、ボトルを、その前端部３４が前シール２７を通り抜けるまで、アダプタから軸方向に後退させる必要がある。移動止めリップシールが先細部分３３から初期離脱した後でも、これには相当な力が必要である。工具オペレータが手でボトルを掴んで軸方向に引っ張ることによって十分な力を加えることができるかどうか、疑わしい。それを行うことができたとしても、ボトルの前端部３４がシール２７を通り抜けた時、抑制力が突然に減少する結果として、ボトルが急加速し、その内容物が開放した前端部からまき散らされる可能性が非常に高く、これは非常に望ましくないであろう。
【００１６】
したがって、ボトルの初期変位を助ける手段が、カム構造の形で設けられている。図２Ａ、図３Ａ、図４Ａおよび図４Ｂに示されているように、ボトルの前端部３４に、ボトルの円周の半分に沿って延在した突出弓形カム３５が形成されており、これが、コネクタブロックの保持リング３７に設けられた対応する弓形カム３６と組み合わせられる。図２Ａおよび図４Ａは、ボトルを、２つのカム３５および３６が整合した完全係合位置に示している。ボトルを初期離脱させるには、オペレータがボトル２１の外表面２２を握って、ボトルをその軸まわりに回転させる。これがカム３５を動かして、ボトルの前端部３４がシール２７を通り抜けるまで、かなり機械的に有利に、ボトルを後方に押し進める（図４Ｂは、ボトルが９０°回転して、前端部３４がシール２７を十分に越えた位置に駆動されている状態を示す）。シールに加わる変形空気圧が抜けているので、ボトルの取り外しを容易に完了することができる。ボトルを空にしてから、ボトル前端部３４が前シール２７と再び出会ってそれに密接した後、半径方向に拡張しているシール２７および２８を越えて押し進めるように、オペレータが手動でボトルの端部に圧縮力を加えることが容易になるので、コネクタブロックへの取り付け直しも比較的容易に行われる。
【００１７】
本発明の別の特徴も、図２Ａおよび図３Ａに、さらに特に図２Ｂおよび図３Ｂに示されている。
【００１８】
この形式のブラインドリベット取り付け工具において、ピンテール回収ボトルを工具に連結した時に開くが、ボトルを工具から取り外した時には、弾性付勢によって自動的に閉じる安全シャッタを工具本体の後端部に設けることは既知である。これは、ボトルが連結されていない時に工具を作動させた場合のピンテールの放出を防止するための安全装置である（リベット取り付け作業の後に工具トリガを解放した時、ヘッドピストンおよびジョーアセンブリが空気圧によって自動的に戻るので、その後に回収ボトルを取り外して、戻し空気を逃がしても、ヘッドピストンが再び前方に戻らないうちに、もう１本の締結具を取り付けることができる）。（たとえば、マスターフィックス(ＭＡＳＴＥＲＦＩＸ)の商品名を付けた工具や、ホンセル(ＨＯＮＳＥＬ)の商品名を付けたある一定の工具では、）ボトルが連結位置にある時、ボトルがばねに抗してシャッタ閉鎖位置からシャッタ開放位置へ変位させるレバーまたはボタンと接触することによって、安全シャッタを機械的に閉じることが既知である。しかし、たとえば、指の圧力か、ウェッジか、接着テープが貼り付くことによってレバーまたはボタンをシャッタ開放位置に保持することによって、そのような機械操作式安全装置をオーバーライドする可能性があることがわかっている。これを解決するために、本例の工具では、ボトルを取り外した時に抜ける(vented)空気圧によって、シャッタが閉鎖状態に保持される。したがって、シャッタ３８は、コネクタブロック１８内の矩形断面の横穴３９内を移動する矩形断面のプランジャによって与えられる。シャッタ３８は円形孔４１を有し、その孔がアダプタを軸方向に貫通するピンテール通路内孔４３と一致しない位置、すなわち、閉鎖位置へコイルばね４２によって押し付けられる。シャッタは、内孔３９の、ばね４２から遠い端部に加えられた空気圧によって、孔４１が通路４３と整合する開放位置に保持される。これは、内孔３９の端部をコネクタブロックの外表面に、したがって、前述したように、空気圧力が加えられる環状ギャップ２６に接続する短い半径方向内孔４４によって行われる。ボトルが完全連結保持位置（図２Ａ）にある時、環状ギャップ２６内の空気圧が、シャッタを開放状態（図２Ｂ）に保持する。ボトルを、その前端部３４が前シール２７を通り抜けるまで十分に軸方向に後退させると直ちに、空気圧が抜けてシャッタが閉じる（図３Ｂ）。ボトルが連結されていない間、シャッタを閉鎖状態に保持できる唯一の方法は、十分な空気圧を半径方向内孔４４に加えて維持することであろうが、これは実際には非常に困難である。
【００１９】
上記例の工具の利点は、シール２７の解放時にボトル２２が工具から外されると直ぐにピンテールが放出されることが防止されることにある。
【００２０】
本発明は、上記例の詳細に制限されない。たとえば、ボトル保持機構とシャッタ閉鎖機構の両方を作動させるために、空気圧を加えて自動的に抜く同じ構造を使用することが好都合であるが、いずれか一方の機構だけを使用して、他方をなくすこともできる。
【００２１】
リップシール２８の代わりに、たとえば、２７と同様なＯリングシールを使用することができるが、その場合、ボトル保持力が低下する。
【００２２】
シャッタ閉鎖ばね４２の代わりに、たとえば、空気圧を使用することができる。
【図面の簡単な説明】
【００２３】
【図１】ブラインドリベット取り付け工具の外部立面図である。
【図２Ａ】連結状態にある工具の回収手段および隣接部分の、軸方向断面図である。
【図２Ｂ】連結状態にある工具の回収手段および隣接部分の、横断面図である。
【図３Ａ】図２Ａに対応して、切り離し状態を示す図である。
【図３Ｂ】図２Ｂに対応して、切り離し状態を示す図である。
【図４Ａ】回収手段および工具の隣接部分の外部上面図であって、初期変位を助けるカム構造を示している。
【図４Ｂ】回収手段および工具の隣接部分の外部上面図であって、初期変位を助けるカム構造を示している。
【図５Ａ】図２ＡにＸで示した領域の拡大断面図であって、軟質弾性部材の１つの移動止め作用を示している。
【図５Ｂ】図２ＡにＸで示した領域の拡大断面図であって、軟質弾性部材の１つの移動止め作用を示している。
【国際公開パンフレット】
2004520173.tif 000003
2004520173.tif 000004
2004520173.tif 000005
2004520173.tif 000006
2004520173.tif 000007
2004520173.tif 000008
2004520173.tif 000009
2004520173.tif 000010
2004520173.tif 000011
2004520173.tif 000012
2004520173.tif 000013
2004520173.tif 000014
2004520173.tif 000015
2004520173.tif 000016
【国際調査報告】
2004520173.tif 000017
2004520173.tif 000018